【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
タッチパネルを有する可動パネルユニットと、
前記可動パネルユニットを前記タッチパネルの被接触面に平行な平面に沿って変位可能に支持する支持機構と、
前記被接触面と反対に位置する前記タッチパネルの面に近接して設けられたディスプレイパネルと、
駆動信号が供給されることで前記可動パネルユニットを前記平面に沿って第１の直線上を往復振動させるアクチュエータと、
前記駆動信号を生成して前記アクチュエータに供給するアクチュエータ駆動制御部とを備えるタッチパネルディスプレイ装置であって、
前記第１の直線に沿った一方向を第１方向、その反対方向を第２方向とし、
前記可動パネルユニットが前記第１方向に動く期間における前記可動パネルユニットの加速度の時間的変化を示す波形形状を第１の波形形状とし、
前記可動パネルユニットが前記第２方向に動く期間における前記可動パネルユニットの加速度の時間的変化を示す波形形状を第２の波形形状としたときに、
前記アクチュエータ駆動制御部は、前記駆動信号として、前記第１の波形形状と、前記第２の波形形状とが非対称となるように前記アクチュエータを駆動する非対称駆動信号を生成する、
ことを特徴とするタッチパネルディスプレイ装置。
【請求項２】
前記非対称駆動信号が供給された前記アクチュエータによる前記可動パネルユニットの駆動は、
前記可動パネルユニットが前記第１方向および前記第２方向の一方に動く際の加速度が、前記被接触面に触れている指先が静止摩擦力によって前記被接触面に追従して動く大きさで設定され、
前記可動パネルユニットが前記第１方向および前記第２方向の他方に動く際の加速度が、前記被接触面に触れている指先が指先の慣性によって前記被接触面上を滑り、前記指先が前記被接触面上に留まる大きさで設定される、
ことを特徴とする請求項１記載のタッチパネルディスプレイ装置。
【請求項３】
前記ディスプレイパネルの表示面に指先を触れるべき箇所であることを示すマークが表示され、
前記マークは前記第１方向または第２の方向の少なくとも一方の方向に合致した方向を向いた形状を含んで構成されている、
ことを特徴とする請求項１記載のタッチパネルディスプレイ装置。
【請求項４】
タッチパネルを有する可動パネルユニットと、
前記可動パネルユニットを前記タッチパネルの被接触面に平行な平面に沿って変位可能に支持する支持機構と、
前記被接触面と反対に位置する前記タッチパネルの面に近接して設けられたディスプレイパネルと、
第１の駆動信号が供給されることで前記可動パネルユニットを前記被接触面に平行な平面に沿って第１の直線上を往復振動させる第１のアクチュエータと、
第２の駆動信号が供給されることで前記可動パネルユニットを前記被接触面に平行な平面に沿って第１の直線と交差する第２の直線上を往復振動させる第２のアクチュエータと 、
前記第１、第２の駆動信号を生成して前記アクチュエータに供給するアクチュエータ駆動制御部とを備えるタッチパネルディスプレイ装置であって、
前記第１の直線に沿った一方向を第１方向、その反対方向を第２方向とし、
前記第２の直線に沿った一方向を第３方向、その反対方向を第４方向とし、
前記可動パネルユニットが前記第１方向に動く期間における前記可動パネルユニットの加速度の時間的変化を示す波形形状を第１の波形形状とし、
前記可動パネルユニットが前記第２方向に動く期間における前記可動パネルユニットの加速度の時間的変化を示す波形形状を第２の波形形状とし、
前記可動パネルユニットが前記第３方向に動く期間における前記可動パネルユニットの加速度の時間的変化を示す波形形状を第３の波形形状とし、
前記可動パネルユニットが前記第４方向に動く期間における前記可動パネルユニットの加速度の時間的変化を示す波形形状を第４の波形形状としたときに、
前記アクチュエータ駆動制御部は、前記第１の駆動信号として、前記第１の波形形状と、前記第２の波形形状とが非対称となるように前記アクチュエータを駆動する第１の非対称駆動信号を生成し、かつ、前記第２の駆動信号として、前記第３の波形形状と、前記第４の波形形状とが非対称となるように前記アクチュエータを駆動する第２の非対称駆動信号を生成する、
ことを特徴とするタッチパネルディスプレイ装置。
【請求項５】
前記第１非対称駆動信号が供給された前記アクチュエータによる前記可動パネルユニットの駆動は、
前記可動パネルユニットの加速度が、前記可動パネルユニットが前記第１方向および前記第２方向の一方に動く際に前記被接触面に触れている指先が静止摩擦力によって前記被接触面に追従して動く大きさで設定され、
前記可動パネルユニットの加速度が、前記可動パネルユニットが前記第１方向および前記第２方向の他方に動く際に前記被接触面に触れている指先が指先の慣性によって前記被接触面上を滑り、指先の位置が前記被接触面上に留まる大きさで設定され、
前記第２非対称駆動信号が供給された前記アクチュエータによる前記可動パネルユニットの駆動は、
前記可動パネルユニットの加速度が、前記可動パネルユニットが前記第３方向および前記第４方向の一方に動く際に前記被接触面に触れている指先が静止摩擦力によって前記被接触面に追従して動く大きさで設定され、
前記可動パネルユニットの加速度が、前記可動パネルユニットが前記第３方向および前記第４方向の他方に動く際に前記被接触面に触れている指先が指先の慣性によって前記被接触面上を滑り、指先の位置が前記被接触面上に留まる大きさで設定される、
ことを特徴とする請求項４記載のタッチパネルディスプレイ装置。
【請求項６】
前記ディスプレイの表示面に指先を触れるべき箇所であることを示すマークが表示され、
前記マークは特定方向を向いた形状を含んで構成され、
前記アクチュエータ駆動制御部による前記第１非対称駆動信号および前記第２非対称駆動信号の生成は、前記被接触面の箇所に触れている指先に前記特定方向の力を付与する振動を前記可動パネルユニットに発生させるようになされる、
ことを特徴とする請求項４記載のタッチパネルディスプレイ装置。
【請求項７】
前記ディスプレイの表示面に指先を触れるべき箇所であることを示すマークが表示され、
前記マークは円環状の形状を呈し、
前記アクチュエータ駆動制御部による前記第１非対称駆動信号および前記第２非対称駆動信号の生成は、前記被接触面の箇所に触れている指先に対して前記円環状の形状の周方向に沿った力を付与する振動を前記可動パネルユニットに発生させるようになされる、
ことを特徴とする請求項４記載のタッチパネルディスプレイ装置。
【請求項８】
前記可動パネルユニットは支持構造体上で前記支持機構を介して変位可能に支持され、
前記ディスプレイパネルは前記支持構造体上に固定されており、
前記タッチパネルの前記被接触面と反対に位置する面と前記ディスプレイパネルの表示面とが離間している、
ことを特徴とする請求項４記載のタッチパネルディスプレイ装置。
【請求項９】
前記タッチパネルの前記被接触面と反対に位置する面と前記ディスプレイパネルの表示面とが一体に結合されて前記可動パネルユニットが構成されている、
ことを特徴とする請求項４記載のタッチパネルディスプレイ装置。
【請求項１０】
タッチパネルを有する可動パネルユニットと、
前記可動パネルユニットを前記タッチパネルの被接触面に平行な平面に沿って変位可能に支持する支持機構と、
駆動信号が供給されることで前記可動パネルユニットを前記平面に沿って第１の直線上を往復振動させるアクチュエータと、
前記駆動信号を生成して前記アクチュエータに供給するアクチュエータ駆動制御部とを備えるタッチパネルディスプレイ装置であって、
前記第１の直線に沿った一方向を第１方向、その反対方向を第２方向とし、
前記可動パネルユニットが前記第１方向に動く期間における前記可動パネルユニットの加速度の時間的変化を示す波形形状を第１の波形形状とし、
前記可動パネルユニットが前記第２方向に動く期間における前記可動パネルユニットの加速度の時間的変化を示す波形形状を第２の波形形状としたときに、
前記アクチュエータ駆動制御部は、前記駆動信号として、前記第１の波形形状と、前記第２の波形形状とが非対称となるように前記アクチュエータを駆動する非対称駆動信号を生成する、
ことを特徴とするタッチパッド。
【請求項１１】
前記非対称駆動信号が供給された前記アクチュエータによる前記可動パネルユニットの駆動は、
前記可動パネルユニットが前記第１方向および前記第２方向の一方に動く際の加速度が、前記被接触面に触れている指先が静止摩擦力によって前記被接触面に追従して動く大きさで設定され、
前記可動パネルユニットが前記第１方向および前記第２方向の他方に動く際の加速度が、前記被接触面に触れている指先が指先の慣性によって前記被接触面上を滑り、前記指先が前記被接触面上に留まる大きさで設定される、
ことを特徴とする請求項１０記載のタッチパッド。
【請求項１２】
前記被接触面に指先を触れるべき箇所であることを示すマークが設けられ、
前記マークは前記第１方向または第２の方向の少なくとも一方の方向に合致した方向を向いた形状を含んで構成されている、
ことを特徴とする請求項１０記載のタッチパッド。
【請求項１３】
タッチパネルを有する可動パネルユニットと、
前記可動パネルユニットを前記タッチパネルの被接触面に平行な平面に沿って変位可能に支持する支持機構と、
第１の駆動信号が供給されることで前記可動パネルユニットを前記被接触面に平行な平面に沿って第１の直線上を往復振動させる第１のアクチュエータと、
第２の駆動信号が供給されることで前記可動パネルユニットを前記被接触面に平行な平面に沿って第１の直線と交差する第２の直線上を往復振動させる第２のアクチュエータと、
前記第１、第２の駆動信号を生成して前記アクチュエータに供給するアクチュエータ駆動制御部とを備えるタッチパネルディスプレイ装置であって、
前記第１の直線に沿った一方向を第１方向、その反対方向を第２方向とし、
前記第２の直線に沿った一方向を第３方向、その反対方向を第４方向とし、
前記可動パネルユニットが前記第１方向に動く期間における前記可動パネルユニットの加速度の時間的変化を示す波形形状を第１の波形形状とし、
前記可動パネルユニットが前記第２方向に動く期間における前記可動パネルユニットの加速度の時間的変化を示す波形形状を第２の波形形状とし、
前記可動パネルユニットが前記第３方向に動く期間における前記可動パネルユニットの加速度の時間的変化を示す波形形状を第３の波形形状とし、
前記可動パネルユニットが前記第４方向に動く期間における前記可動パネルユニットの加速度の時間的変化を示す波形形状を第４の波形形状としたときに、
前記アクチュエータ駆動制御部は、前記第１の駆動信号として、前記第１の波形形状と、前記第２の波形形状とが非対称となるように前記アクチュエータを駆動する第１の非対称駆動信号を生成し、かつ、前記第２の駆動信号として、前記第３の波形形状と、前記第４の波形形状とが非対称となるように前記アクチュエータを駆動する第２の非対称駆動信号を生成する、
ことを特徴とするタッチパッド。
【請求項１４】
前記第１非対称駆動信号が供給された前記アクチュエータによる前記可動パネルユニットの駆動は、
前記可動パネルユニットの加速度が、前記可動パネルユニットが前記第１方向および前記第２方向の一方に動く際に前記被接触面に触れている指先が静止摩擦力によって前記被接触面に追従して動く大きさで設定され、
前記可動パネルユニットの加速度が、前記可動パネルユニットが前記第１方向および前記第２方向の他方に動く際に前記被接触面に触れている指先が指先の慣性によって前記被接触面上を滑り、指先の位置が前記被接触面上に留まる大きさで設定され、
前記第２非対称駆動信号が供給された前記アクチュエータによる前記可動パネルユニットの駆動は、
前記可動パネルユニットの加速度が、前記可動パネルユニットが前記第３方向および前記第４方向の一方に動く際に前記被接触面に触れている指先が静止摩擦力によって前記被接触面に追従して動く大きさで設定され、
前記可動パネルユニットの加速度が、前記可動パネルユニットが前記第３方向および前記第４方向の他方に動く際に前記被接触面に触れている指先が指先の慣性によって前記被接触面上を滑り、指先の位置が前記被接触面上に留まる大きさで設定される、
ことを特徴とする請求項１３記載のタッチパッド。
【請求項１５】
前記被接触面に指先を触れるべき箇所であることを示すマークが設けられ、
前記マークは特定方向を向いた形状を含んで構成され、
前記アクチュエータ駆動制御部による前記第１非対称駆動信号および前記第２非対称駆動信号の生成は、前記被接触面に触れている指先に前記特定方向の力を付与する振動を前記可動パネルユニットに発生させるようになされる、
ことを特徴とする請求項１３記載のタッチパッド。
【請求項１６】
前記被接触面に指先を触れるべき箇所であることを示すマークが設けられ、
前記マークは円環状の形状を呈し、
前記アクチュエータ駆動制御部による前記第１非対称駆動信号および前記第２非対称駆動信号の生成は、前記被接触面に触れている指先に対して前記円環状の形状の周方向に沿った力を付与する振動を前記可動パネルユニットに発生させるようになされる、
ことを特徴とする請求項１３記載のタッチパッド。
【請求項１７】
タッチパネルディスプレイ装置を備える電子機器であって、
前記タッチパネルディスプレイ装置は、
タッチパネルを有する可動パネルユニットと、
前記可動パネルユニットを前記タッチパネルの被接触面に平行な平面に沿って変位可能に支持する支持機構と、
前記被接触面と反対に位置する前記タッチパネルの面に近接して設けられたディスプレイパネルと、
駆動信号が供給されることで前記可動パネルユニットを前記平面に沿って第１の直線上を往復振動させるアクチュエータと、
前記駆動信号を生成して前記アクチュエータに供給するアクチュエータ駆動制御部とを備え、
前記第１の直線に沿った一方向を第１方向、その反対方向を第２方向とし、
前記可動パネルユニットが前記第１方向に動く期間における前記可動パネルユニットの加速度の時間的変化を示す波形形状を第１の波形形状とし、
前記可動パネルユニットが前記第２方向に動く期間における前記可動パネルユニットの加速度の時間的変化を示す波形形状を第２の波形形状としたときに、
前記アクチュエータ駆動制御部は、前記駆動信号として、前記第１の波形形状と、前記第２の波形形状とが非対称となるように前記アクチュエータを駆動する非対称駆動信号を生成する、
ことを特徴とする電子機器。
【請求項１８】
タッチパネルディスプレイ装置を備える電子機器であって、
前記タッチパネルディスプレイ装置は、
タッチパネルを有する可動パネルユニットと、
前記可動パネルユニットを前記タッチパネルの被接触面に平行な平面に沿って変位可能に支持する支持機構と、
前記被接触面と反対に位置する前記タッチパネルの面に近接して設けられたディスプレイパネルと、
第１の駆動信号が供給されることで前記可動パネルユニットを前記被接触面に平行な平面に沿って第１の直線上を往復振動させる第１のアクチュエータと、
第２の駆動信号が供給されることで前記可動パネルユニットを前記被接触面に平行な平面に沿って第１の直線と交差する第２の直線上を往復振動させる第２のアクチュエータと 、
前記第１、第２の駆動信号を生成して前記アクチュエータに供給するアクチュエータ駆動制御部とを備え、
前記第１の直線に沿った一方向を第１方向、その反対方向を第２方向とし、
前記第２の直線に沿った一方向を第３方向、その反対方向を第４方向とし、
前記可動パネルユニットが前記第１方向に動く期間における前記可動パネルユニットの加速度の時間的変化を示す波形形状を第１の波形形状とし、
前記可動パネルユニットが前記第２方向に動く期間における前記可動パネルユニットの加速度の時間的変化を示す波形形状を第２の波形形状とし、
前記可動パネルユニットが前記第３方向に動く期間における前記可動パネルユニットの加速度の時間的変化を示す波形形状を第３の波形形状とし、
前記可動パネルユニットが前記第４方向に動く期間における前記可動パネルユニットの加速度の時間的変化を示す波形形状を第４の波形形状としたときに、
前記アクチュエータ駆動制御部は、前記第１の駆動信号として、前記第１の波形形状と、前記第２の波形形状とが非対称となるように前記アクチュエータを駆動する第１の非対称駆動信号を生成し、かつ、前記第２の駆動信号として、前記第３の波形形状と、前記第４の波形形状とが非対称となるように前記アクチュエータを駆動する第２の非対称駆動信号を生成する、
ことを特徴とする電子機器。
【請求項１９】
タッチパッドを備える電子機器であって、
前記タッチパッドは、
タッチパネルを有する可動パネルユニットと、
前記可動パネルユニットを前記タッチパネルの被接触面に平行な平面に沿って変位可能に支持する支持機構と、
駆動信号が供給されることで前記可動パネルユニットを前記平面に沿って第１の直線上を往復振動させるアクチュエータと、
前記駆動信号を生成して前記アクチュエータに供給するアクチュエータ駆動制御部とを備える電子機器であって、
前記第１の直線に沿った一方向を第１方向、その反対方向を第２方向とし、
前記可動パネルユニットが前記第１方向に動く期間における前記可動パネルユニットの加速度の時間的変化を示す波形形状を第１の波形形状とし、
前記可動パネルユニットが前記第２方向に動く期間における前記可動パネルユニットの加速度の時間的変化を示す波形形状を第２の波形形状としたときに、
前記アクチュエータ駆動制御部は、前記駆動信号として、前記第１の波形形状と、前記第２の波形形状とが非対称となるように前記アクチュエータを駆動する非対称駆動信号を生成する、
ことを特徴とする電子機器。
【請求項２０】
タッチパッドを備える電子機器であって、
前記タッチパッドは、
タッチパネルを有する可動パネルユニットと、
前記可動パネルユニットを前記タッチパネルの被接触面に平行な平面に沿って変位可能に支持する支持機構と、
第１の駆動信号が供給されることで前記可動パネルユニットを前記被接触面に平行な平面に沿って第１の直線上を往復振動させる第１のアクチュエータと、
第２の駆動信号が供給されることで前記可動パネルユニットを前記被接触面に平行な平面に沿って第１の直線と交差する第２の直線上を往復振動させる第２のアクチュエータと、
前記第１、第２の駆動信号を生成して前記アクチュエータに供給するアクチュエータ駆動制御部とを備える電子機器であって、
前記第１の直線に沿った一方向を第１方向、その反対方向を第２方向とし、
前記第２の直線に沿った一方向を第３方向、その反対方向を第４方向とし、
前記可動パネルユニットが前記第１方向に動く期間における前記可動パネルユニットの加速度の時間的変化を示す波形形状を第１の波形形状とし、
前記可動パネルユニットが前記第２方向に動く期間における前記可動パネルユニットの加速度の時間的変化を示す波形形状を第２の波形形状とし、
前記可動パネルユニットが前記第３方向に動く期間における前記可動パネルユニットの加速度の時間的変化を示す波形形状を第３の波形形状とし、
前記可動パネルユニットが前記第４方向に動く期間における前記可動パネルユニットの加速度の時間的変化を示す波形形状を第４の波形形状としたときに、
前記アクチュエータ駆動制御部は、前記第１の駆動信号として、前記第１の波形形状と、前記第２の波形形状とが非対称となるように前記アクチュエータを駆動する第１の非対称駆動信号を生成し、かつ、前記第２の駆動信号として、前記第３の波形形状と、前記第４の波形形状とが非対称となるように前記アクチュエータを駆動する第２の非対称駆動信号を生成する、
ことを特徴とする電子機器。